(57)【特許請求の範囲】
【請求項１】
建築物の同一の室内空間内から、テーマ遊びルーム施設の全体とカフェキッチンが見えるように、透明窓を介して、多数の椅子とテーブルを有する休息空間と、前記休息空間から識別される方向に連携して利用可能に連結構成したテーマ遊びルームと、前記休息空間及びテーマ遊びルームと分離して構成したカフェキッチンとを有して、多数のテーマ遊びルームと食・飲料を調理して提供するカフェキッチンが、建築物の室内壁面に沿って構成され、多数の椅子とテーブルが設けられた休息空間が中央に配置され、実時間で幼児と保護者が相手方を確認しながら、同じ空間において楽しい遊びと休みを取るように連携して構成し、
建築物の室内の床面に適正な面積を区画し、前記室内壁面に垂直水平方向に木材フレームを形成しベニヤ板と衝撃吸収パッドを重ね合って構成した保護壁体と、数個の仕切りからなる陳列台を有し、多様な形状、模様、色彩で形成された模型の農水畜産物を陳列したスーパーマーケット遊びルームと、スーパーマーケット遊びルームとテーマ遊びルームの壁体に設けられ衝撃吸収パッドと仕上げシートを重ね合って構成された階段と、スーパーマーケット遊びルームの上に複層で構成された第１のテーマ遊びルームと、床面と第１のテーマ遊びルームとブリッジで連結固定された網ネットルームと、多数の仕切りからなる第２のテーマ遊びルームと、床面と壁面には空気圧を高く充填したエアマトリクスとエアチューブウォールが設けられ、前記エアマトリクスの前面には傾斜状のクッションパネルが設けられてスカイジャンプ遊びをするエアバウンスルームと、フレーム内部に衝撃吸収パッドと仕上げシートを重ね合った床面を備えたポールプールと、遊び用自動車専用の遊び空間で構成された自動車トラックと、おもちゃで遊ぶようにヒノキチップを満たして構成されたヒノキチップルームと、注文された食・飲料を調理して提供するカフェキッチンと、休息のためのテーブルと椅子を有する休息空間と、前記壁体に設けられ幼児が手足でつかむ岩を備えた岩登り遊び構造物と、不織布ボールを投げてターゲットにくっつけさせる投擲ゲームルームと、くねくね曲がった円筒状の洞窟遊び器具と、小麦粉で砂遊びを行う小麦粉遊びルームと、
また、衝撃負傷を予防可能に衝撃吸収材を重ね合った中央遮断壁が中央に設けられ、出入口を有する適正高さの垣根と、登り坂と、下り坂と、前記下り坂の端部の床面のクッションマットと、前記クッションマットの端部の衝撃吸収段とを備えた自動車トラックを有する
ことを特徴とするテーマ遊び施設と食・飲料提供施設を備えた親子カフェ。
【請求項２】
前記階段は、単層型階段または滑り台型階段である
請求項１に記載のテーマ遊び施設と食・飲料提供施設を備えた親子カフェ。
【請求項３】
下層には、キッチン遊びルームとスーパーマーケット遊びルームが設けられた
請求項１に記載のテーマ遊び施設と食・飲料提供施設を備えた親子カフェ。
【請求項４】
一方の壁体には、階段が連結される出入口が設けられ、他方の壁体には、移動連結通路を有する読書室を有する
請求項１に記載のテーマ遊び施設と食・飲料提供施設を備えた親子カフェ。
【請求項５】
第１番ルームには通路階段が設けられ、第６番ルームには移動連結通路が設けられた第２のテーマ遊びルームを有する
請求項１に記載のテーマ遊び施設と食・飲料提供施設を備えた親子カフェ。
【請求項６】
前記エアバウンスルームは、空気圧の充填時、３０ｃｍ以上高く膨張するエアマトリクスからなる
請求項１に記載のテーマ遊び施設と食・飲料提供施設を備えた親子カフェ。
【請求項７】
睡眠と授乳のための母児室と口演童話のための読書室を有する
請求項１に記載のテーマ遊び施設と食・飲料提供施設を備えた親子カフェ。
【請求項８】
前記ヒノキチップルームは、ヒノキチップが充填されている
請求項１に記載のテーマ遊び施設と食・飲料提供施設を備えた親子カフェ。
【請求項９】
第２のテーマ遊びルームの前面は、透明である
請求項１に記載のテーマ遊び施設と食・飲料提供施設を備えた親子カフェ。
【請求項１０】
建築物の同一の室内空間内にテーマ遊びルームとカフェキッチン及び休息空間を設置された
請求項１に記載のテーマ遊び施設と食・飲料提供施設を備えた親子カフェ。
【発明の詳細な説明】
【技術分野】
【０００１】
本発明は、２歳以上７歳未満の子供（以下「幼児」という）が、室内で楽しくて安全な各種のテーマ遊びを楽しむとともに、幼児がテーマ遊びを楽しむ間、幼児連れの親、または親代りの保護者（以下「保護者」という）は、育児・保護時間から解放され、余裕のある個人時間、すなわち、読書をしたり、友達と談笑したり、お茶を飲んだりするなど、幼児を気にせず、気楽でかつ安楽な休み時間を過ごすようにする、テーマ遊び施設と食・飲料提供施設を備えた親子カフェに関する。
【背景技術】
【０００２】
従来、室内に設置される子供遊び施設物は多くあるが、この種の子供遊び施設物は、プラスチック射出成形で規格化した組立式滑り台を始め、トンネル遊び構造物及びはしご構造物等があり、ある場合は、多数の小さいゴムボールで区切られた空間を満たしてなる、いわゆるボールプールが知られており、最近となっては、いわゆるジャングルジムという構造物が設置されている。
【０００３】
しかしながら、上述した従来の子供遊び施設物は、それぞれ独立して設置される構造物であるので、幼児が数種の遊び施設を連結した状態で利用できず、一方の施設物から他方の施設物に移動する過程で、遊びへの興味を失い、しかも、施設物に衝突し、頻繁な負傷事故が生じるため、保護者が、いつも幼児の側で見守らなければならず、休みらしい休みが取れなかった。
【０００４】
一方、本発明の出願人は、上述した問題を解決するために、特許文献１を提案しているが、この特許文献１の技術的特徴によると、特許請求の範囲の請求項１において、『仕切りを有する棚に、各種の野菜、果物、魚の模型が陳列され、前方の壁面に出入口が設けられ、出入口の一側壁面に、敷居の高さが建物の床面から４０ｃｍに至るソファ連結通路を有するスーパーマーケット遊びルームが１階に設けられ、２階には、円滑な通気及び落下事故防止のための欄干と、欄干の上部に透明窓とが設けられ、内外部が透視され、壁面に第１の水平移動連結通路を有するおもちゃ遊びルームが設けられ、内部壁面に沿って第１階段及び第２階段が設けられ、前記スーパーマーケット遊びルーム及びおもちゃ遊びルームを上下することができ、第１番ルームの床面は、おもちゃ遊びルームの床面と平行な高さに形成され、第２番ルームの床面は、前記第１番ルームの高さの１／２に該当する低い位置に形成され、第３番ルームの床面は、前記第１番ルームの床面と同一の高さに形成され、第５番ルームの床面は、建物の床面に形成され、上側には第２番ルームが形成され、踏み台空間が第５番ルームの１／２の高さまで形成され、第４番ルームの床面と第６番ルームの床面が踏み台空間の上部に形成され、第４番ルームの上部には第１番ルームが、第６番ルームの上部には第３番ルームが複層で形成され、前記第１番ルーム、第２番ルーム、第３番ルーム、第４番ルーム、第５番ルーム、第６番ルームには、傾斜状の連結階段通路が設けられた階段通路ルームが、前記１，２階の複層で構成されたスーパーマーケット遊びルームとおもちゃ遊びルームの一側面に連結構成され、連結通路を有するエア垂直壁が第６番ルームの外部壁面に設けられ、連結通路が第２の水平移動連結通路の位置と一致した状態で連結され、エアマトリクスが膨張したとき、その表面の高さが第６番ルームの床面の高さと一致し、前方には傾斜状のクッションパネルを有するエアバウンスルームが、前記階段通路ルームの外部に並んで設置され、衝撃吸収パッドが内部壁面と建物の床面に付着され、四角形のフレームが設けられ、ゴムボールが充満され、出入口を有するフェンスが設けられたボールプールが、前記エアバウンスルームを往来可能に並んで連結構成され、室内壁面に衝撃吸収パッドが付着され、幼児の授乳及び睡眠のためのソファが設けられた母児室が、前記ボールプールの一側前面に設けられ、母児室の前面の外部の一側には、子供の身長だけの洗面台が設けられ、内部壁面に沿ってソファが固定設置され、前記ソファの高さと平行に一致する高さの敷居を有するソファ連結通路及び出入口を有する室内壁面からなる読書室が設けられ、お茶と飲料及び注文された食べ物を調理可能なキッチンが設けられ、テーブルと椅子で休息空間が構成されることを特徴とする親子カフェテーマ遊びルーム』であることが分かる。
【０００５】
一方、本発明は、上述した本願出願人による先発明の機能がさらに向上した発明を提供するために案出されたものである。
【先行技術文献】
【特許文献】
【０００６】
【特許文献１】大韓民国登録特許第１０‐１４９０２９３号公報（２０１５．０１．３０）
【発明の概要】
【発明が解決しようとする課題】
【０００７】
本発明の施設物は、建物の室内において、平面上に、一直線の長手方向またはフ字状、コ字状で設置され、子供（以下、「幼児」という）たちが長時間の間、興味を失わず、安全に楽しむように設置されるものとする。
【０００８】
特に、本発明の目的は、幼児が保護者から離れ、楽しいテーマ遊びをする過程で、精神的には独立心と自身感を養い、肉体的には骨と筋肉を増強させ、精神と肉体の健康な成長を助け、一方では、楽しいテーマ遊びに集中して遊ぶ幼児の姿を可視距離内に置き、実時間で確認し、友達または隣と談笑しながら、安らかな休み時間を過ごすようにすることにある。
【課題を解決するための手段】
【０００９】
上述した目的を達成するために、本発明は、子供たちが買い物遊びをするスーパーマーケット遊びルームと、おもちゃ遊びをする上層の第１のテーマ遊びルームと、上下左右の数個のテーマ遊びルームからなる第２のテーマ遊びルームと、少なくとも３０ｃｍ以上の空気層厚さのエアマトリクスからなり、スカイジャンプ遊びをするエアバウンスルームと、体力と胆力を養う岩登り構造物と、多数のゴムボールで満たされ、遊泳するボールプールと、組立式おもちゃで遊ぶブロック遊びルームと、車遊びをしながら、体力を高め、早期交通安全教育を経験する自動車トラックと、母の愛が伝えられる赤ちゃん授乳母児室と、投げたらくっつく投擲ゲームルームと、EＱ、ＩＱを高めるＰＣゲームルームと、想像力を高める赤ちゃん専用劇場と、冒険心と体力を養う洞窟遊び器具と、保護者と一緒にする読書室と、ヒノキチップからなるヒノキチップルームと、テーブルと椅子を有する休息空間と、を備え、お茶と飲料、食べ物を調理して提供するカフェを提供することにより、室内において、幼児と保護者が一緒に楽しい時間を過ごすようにすることを特徴とする。
【発明の効果】
【００１０】
本発明によれば、数種の遊び施設物を狭い室内空間に安価な費用で設置し、幼児が利用中に落ちて怪我することを予防し、異なる遊び施設を連携して用いるので、長時間飽かずに楽しい時間を過ごすことができる。
【００１１】
特に、幼児が楽しい遊びをするとともに、精神的な独立心、挑戦精神、集中力、冒険心、独創的な考え方を高め、身体を健康に発達させ、社会性及び教育効果を与え、保護者は、幼児が遊ぶ姿を可視距離内に置き、実時間で見ながら、友達または隣と安心して談笑し、安らかで余裕のある休み時間を有し、健康で楽しい家庭を作るのに寄与することができる、極めて有用な発明である。
【図面の簡単な説明】
【００１２】
【図１】本発明の実施例によるテーマ遊び施設と食・飲料提供施設を備えた親子カフェを示す全体平面図
【図２】本発明の実施例によるテーマ遊び施設と食・飲料提供施設を備えた親子カフェの要部を示す正面図
【図３】本発明の実施例によるテーマ遊び施設と食・飲料提供施設を備えた親子カフェの構造における階段通路ルームを示す拡大正面図
【図４】本発明の実施例によるテーマ遊び施設と食・飲料提供施設を備えた親子カフェの構造におけるスーパーマーケット遊びルームと複層で構成したおもちゃ遊びルームを説明する平面図
【図５】本発明の実施例によるテーマ遊び施設と食・飲料提供施設を備えた親子カフェの構造における階段通路ルームを示す拡大平面図
【図６】本発明の実施例によるテーマ遊び施設と食・飲料提供施設を備えた親子カフェの構造におけるエアバウンスルームを示す拡大平面図
【図７】本発明の実施例によるテーマ遊び施設と食・飲料提供施設を備えた親子カフェの構造における垂直壁面に岩登り構造物とボールプールを示す拡大平面図
【図８】本発明の実施例によるテーマ遊び施設と食・飲料提供施設を備えた親子カフェの構造における自動車トラックの側面全体を示す断面図
【図９】図８に示した自動車トラックの一部を示す断面図
【図１０】本発明の実施例による自動車トラックを正面からみた状態を示す断面図
【図１１】本発明の実施例による遊び用自動車が下り坂を下りて立ち止まった状態を説明する部分拡大側断面図
【図１２】本発明の実施例によるテーマ遊び施設と食・飲料提供施設を備えた親子カフェの構造における自動車トラックの全体を示す平面図
【図１３】図１２に示した自動車トラックにおいて遊び用自動車が出発する状態と到着して立ち止った状態を説明する平面図
【図１４】図１２に示した自動車トラックにおいて遊び用自動車が上り坂を登っている状態と下り坂を下りる状態を説明する平面図
【図１５】図１２に示した自動車トラックにおいて遊び用自動車が上り坂を登ってターンして下り坂を下りる状態を説明する平面図
【発明を実施するための形態】
【００１３】
図１は、本発明の実施例によるテーマ遊び施設と食・飲料提供施設を備えた親子カフェを示す全体平面図であり、図２は、本発明の実施例によるテーマ遊び施設と食・飲料提供施設を備えた親子カフェの要部を示す正面図であり、図３は、本発明の実施例によるテーマ遊び施設と食・飲料提供施設を備えた親子カフェの構造における階段通路ルームを示す拡大正面図であり、図４は、本発明の実施例によるテーマ遊び施設と食・飲料提供施設を備えた親子カフェの構造におけるスーパーマーケット遊びルームと複層で構成したおもちゃ遊びルームを説明する平面図であり、図５は、本発明の実施例によるテーマ遊び施設と食・飲料提供施設を備えた親子カフェの構造における階段通路ルームを示す拡大平面図であり、図６は、本発明の実施例によるテーマ遊び施設と食・飲料提供施設を備えた親子カフェの構造におけるエアバウンスルームを示す拡大平面図であり、図７は、本発明の実施例によるテーマ遊び施設と食・飲料提供施設を備えた親子カフェの構造における垂直壁面に岩登り構造物とボールプールを示す拡大平面図であり、図８は、本発明の実施例によるテーマ遊び施設と食・飲料提供施設を備えた親子カフェの構造における自動車トラックの側面全体を示す断面図であり、図９は、図８に示した自動車トラックの一部を示す断面図であり、図１０は、本発明の実施例による自動車トラックを正面からみた状態を示す断面図であり、図１１は、本発明の実施例による遊び用自動車が下り坂を下りて立ち止まった状態を説明する部分拡大側断面図であり、図１２は、本発明の実施例によるテーマ遊び施設と食・飲料提供施設を備えた親子カフェの構造における自動車トラックの全体を示す平面図であり、図１３は、図１２に示した自動車トラックにおいて遊び用自動車が出発する状態と到着して立ち止った状態を説明する平面図であり、図１４は、図１２に示した自動車トラックにおいて遊び用自動車が上り坂を登っている状態と下り坂を下りる状態を説明する平面図であり、図１５は、図１２に示した自動車トラックにおいて遊び用自動車が上り坂を登ってターンして下り坂を下りる状態を説明する平面図である。
【００１４】
参考として、本発明を説明するにあたって、関連した公知の構成についての具体的な説明が、本発明の要旨を不明にすると判断される場合は、その詳細な説明を省略する。
【００１５】
また、後述する用語は、本発明における機能を考慮して定義された用語であって、これらは、使用者の意図または慣例により変わることがある。
【００１６】
このため、その定義は、本明細書の全般に渡った内容に基づく。次いで、添付図面により、本発明について詳述する。
【００１７】
図１は、本発明の実施状態を示す平面図であって、この図によると、本発明のテーマ遊び施設と食・飲料提供施設を備えた親子カフェは、子供たちが買い物遊びとキッチン遊びをする下層のスーパーマーケット遊びルーム１０と、おもちゃ遊びをする上層の第１のテーマ遊びルーム２０と、床面から空中に２層以上の遊び空間２６と少なくとも３つ以上のポケット空間２７、及びブリッジ２８を有する網ネットルーム２５と、多数のルームからなり、多様な体験をして遊ぶ第２のテーマ遊びルーム３０と、少なくとも３０ｃｍ以上の空気層厚さのエアマトリクスからなり、スカイジャンプ遊びをするエアバウンスルーム４０と、体力と胆力を養う岩登り遊び構造物５０と、フレーム６３に多数のボールを満たして構成したボールプール６０と、組立式おもちゃで遊ぶブロック遊びルーム７０と、自動車遊びをしながら、体力を高め、早期交通安全教育を経験する自動車トラック８０と、母の愛が伝えられる赤ちゃん授乳母児室９０と、投げたらくっつく投擲ゲームルーム１００と、EＱ、ＩＱを高めるＰＣゲームルーム１１０と、想像力を高める赤ちゃん専用劇場１２０と、冒険心と体力を養う洞窟遊び器具１３０と、保護者と一緒にする読書室１４０と、ヒノキチップ１６１からなるヒノキチップルーム１５０と、テーブル１８１と椅子１８２を有する休息空間１８０と、を連結構成し、室内において幼児と保護者が一緒に楽しい時間を過ごすことができるお茶と飲料、食べ物を調理して提供するカフェを構成するものであって、以下、上記した構成要素についてさらに詳述する。
【００１８】
先ず、スーパーマーケット遊びルーム１０には、図２及び図４に示すように、仕切りからなる棚１０ｃが設けられ、各種の多様な模型の野菜と果物、魚等の食品がきちんと陳列され、遊び用ガスレンジ１１と流し台１２が設けられ、主出入口１０ａとソファ連結通路１０ｂを有し、その上部には、第１のテーマ遊びルーム２０が設けられる。
【００１９】
一方、前記スーパーマーケット遊びルーム１０と第１のテーマ遊びルーム２０は、階段１０２０を通じて往来することができ、前記階段１０２０は、単層型階段または滑り台型階段であってもよく、また、スーパーマーケット遊びルーム１０と第１のテーマ遊びルーム２０の内部と階段１０２０は、適正な厚さの衝撃吸収パッドＣと仕上げシートＴを重ね合って、幼児期の子供たちが歩きまたはのそのそと這って上下することができるが、前記衝撃吸収パッドＣと仕上げシートＴを必ずしも適用すべきものではなく、内部仕上げ資材により適用する否かを判断すればよい。
【００２０】
例えば、スーパーマーケット遊びルーム１０と第１のテーマ遊びルーム２０の室内を原木で構成し、または特殊の発泡材を用いて構成すると、そのものだけでも衝撃防止と負傷防止が可能であるので、衝撃吸収パッドＣと仕上げシートＴを重ね合って構成する必要がなく、これらを適用するか否かは、本発明の実施例によるテーマ遊びルーム施設の内部の全般に共通する。
【００２１】
また、前記スーパーマーケット遊びルーム１０の前面には、ソファ連結通路１０ｂが設けられるが、このソファ連結通路１０ｂは、その敷居の高さを、壁体Ｂに寄せて設置したソファＳの高さを鑑み、約３０ｃｍ以上と高く構成し、ソファＳは、建物の室内壁面Ａに沿って設置する。
【００２２】
一方、前記第１のテーマ遊びルーム２０は、２つのルームに分割して構成されるが、第１のテーマ遊びルーム２０の一側には、床面から空中に２層以上の遊び空間２６と少なくとも３つ以上のポケット空間２７が設けられ、天井から１次固定され、第１のテーマ遊びルーム２０とはブリッジ２８で連結固定された網ネットルーム２５が構成される。
【００２３】
また、前記ソファＳは、長く連結され、スーパーマーケット遊びルーム１０と対向した方向にソファ連結通路１４０ａを有する読書室１４０と連結すると、ソファＳを橋にしてスーパーマーケット遊びルーム１０と読書室１４０を往来することができる。
【００２４】
また、前記第１のテーマ遊びルーム２０は、階段１０２０から下層のスーパーマーケット遊びルーム１０を往来し、移動連結通路２０３０から数個のルームを有する第２のテーマ遊びルーム３０を往来し、前面には、透明窓２０ｂ及び欄干２０ａが設けられ、第１のテーマ遊びルーム２０内で遊ぶ幼児と休息空間１８０で休みを取る保護者が、実時間で互いを確認可能にする。
【００２５】
前記第２のテーマ遊びルーム３０は、図３に示すように、第１番ルーム３１、第２番ルーム３２、第３番ルーム３３、第４番ルーム３４、第５番ルーム３５、第６番ルーム３６が互いに連結して構成される。
【００２６】
前記移動連結通路２０３０は、第１のテーマ遊びルーム２０と第１番ルーム３１を往来し、第６番ルーム３６の移動連結通路３０４０は、エアバウンスルーム４０を往来する移動通路であり、第１の通路階段３０ａは、第１番ルーム３１と第２番ルーム３２を往来し、第２の通路階段３０ｂは、第２番ルーム３２と第４番ルーム３４を往来し、第３の通路階段３０ｃは、第２番ルーム３２と第３番ルーム３３を往来し、第４の通路階段３０ｄは、第３番ルーム３３と第５番ルーム３５を往来し、第５の通路階段３０ｅは、第４番ルーム３４と第５番ルーム３５を往来し、第６の通路階段３０ｆは、第５番ルーム３５と第６番ルーム３６を自由に往来することができる。
【００２７】
また、前記第１番ルーム３１乃至第６番ルーム３６の前面には、透明窓３７が設けられ、遊んでいる幼児と休息空間１８０で休息中の保護者が実時間で目を合わしながら確認することができる。
【００２８】
また、前記第２のテーマ遊びルーム３０の一側には、エアバウンスルーム４０が設けられるが、このエアバウンスルーム４０は、ファンモータＭにより空気が充填されるエアマトリクス４１とエアチューブウォール４２からなり、エアチューブウォール４２には、移動連結通路３０４０が設けられ、これにより前記第６番ルーム３６を往来し、エアマトリクス４１の前面には、ブリッジ機能と落ちて怪我することを防止するクッションパネル４３が設けられる。
【００２９】
また、前記壁体Ｄには、図１及び図６に示すように、幼児が手足で取ったり踏んだりして上下する岩登り遊びをするように、数個の岩登り構造物５０を設置し、体力と冒険心を成長させるようになる。
【００３０】
また、前記エアバウンスルーム４０の一側には、図７に示すように、壁体Ｄと連結して、出入口６１とフェンス６２からなるフレーム６３を区画設置し、直径１０ｃｍ程度の多数のプラスチックゴムボール６４を少なくとも４０ｃｍ以上の高さまで満たして遊泳して楽しむボールプール６０を設置し、このボールプール６０の一側には、知能開発のために、ブロックにより、家、自動車、ロボット等を組み立てるブロック遊びルーム７０を設置する。
【００３１】
また、建物内部の床面Ｂには、適正面積を区画し、幼児が自動車遊びを楽しむ自動車トラック８０が設けられるが、この自動車トラック８０は、図８及び図９と図１２に示すように、出入口８０ａを有する垣根８５と、中央分離帯の機能をする中央遮断壁８３と、登り坂８１と下り坂８２を有する。
【００３２】
また、前記登り坂８１と下り坂８２は、傾斜面からなる登り傾斜区間８１ａと水平面からなる登り休み区間８１ｂが、頂上地点Ｕまで、少なくとも２回以上繰り返され、下り坂８２には、傾斜面からなる下り傾斜区間８２ａと水平面からなる速度制御区間８２ｂが、少なくとも２回以上繰り返されてなる。
【００３３】
前記中央遮断壁８３は、子供が遊び用自動車２００に乗った状態で、反対側の友達の顔が見えるような高さで構成され、出入口８０ａを有する垣根８５は、子供の身長高さとする。
【００３４】
また、前記下り坂８２の端部の到着位置８８ａの床面には、クッションマット８６が設けられ、垣根８５と直角をなすクッションマット８６の端部には、速度制御に失敗した場合、停止衝撃を吸収する衝撃吸収段８７が設けられる。
【００３５】
また、前記登り坂８１と下り坂８２、及び中央遮断壁８３と垣根８５は、垂直水平方向に木材フレームＰを設置し、ベニヤ板Ｗと衝撃吸収パッドＣ及び仕上げシートＴを順次に重ね合って構成する。
【００３６】
また、前記登り坂８１と下り坂８２を構成するベニヤ板Ｗの上面には、そのものに車線表示Ｌが可能であるが、必要に応じて、材質の堅固なゴム材質の仕上げシートＴを重ね合った後、車線表示Ｌを行うことも好ましい。
【００３７】
また、前記登り傾斜区間８１ａと休み区間８１ｂは、状況に応じて、単純な構造の登り坂８１と下り坂８２で構成してもよく、ある場合は、登り坂８１や下り坂８２無しで、中央遮断壁８３を中央に設置し、周辺に垣根８５のみを設置して、一方向または双方向に通行する自動車トラック８０を構成することも好ましい。
【００３８】
また、前記中央遮断壁８３と垣根８５は、適正な厚さの衝撃吸収パッドＣと仕上げシートＴを重ね合うことにより、幼児が遊んでいる最中にぶつかっても、衝撃を吸収して負傷を予防することが好ましい。
【００３９】
しかし、室内を原木で構成し、または特殊の発泡材を用いて構成する場合は、そのものだけでも衝撃防止と負傷防止が可能であり、その他、衝撃吸収パッドＣと仕上げシートＴを重ね合わなくてもよいので、前記衝撃吸収パッドＣと仕上げシートＴを適用するか否かは、内部の仕上げ材質により選択的に決定してもよい。
【００４０】
また、一方には、睡眠または授乳が必要な幼児のための母児室９０が設けられる。このとき、入口には、洗面台９１が設けられることも好ましい。
【００４１】
また、ターゲットに向かってボールを投げると、ボールがターゲットにくっつく不織布ボールを有する投擲ゲームルーム１００と、幼児の娯楽プログラムを有するＰＣゲームルーム１１０と、保護者と幼児が一緒に観覧可能な子供専用劇場１２０と、くねくねとした円筒状構造を通り抜ける洞窟遊び器具１３０と、幼児に本を読んでやる読書室１４０と、トイレット１５０及び簡易シャワー室１５５と、小粒のヒノキチップを充填したヒノキチップルーム１６０と、砂に代わって遊ぶような小麦粉遊びルーム１６５と、幼児と保護者がお茶と飲料と食べ物を注文し、調理して提供するカフェキッチン１７０と、幼児と保護者が座って休んだり食べ物を食べたりするテーブル１８１と椅子１８２を有する休息空間１８０と、を含むテーマ遊び施設と食・飲料提供施設を備えた親子カフェを提供することを特徴とする。
【００４２】
前記小麦粉遊びルーム１６５は、一般に、幼児が、砂場において、砂の家や城を作って遊んだり、掘削機及びブルドーザーまたはダンプカーで遊んだりすることを、砂に代わって、赤ちゃんが口に入れても環境的に安全な小麦粉を用いて設置したものである。
【００４３】
また、前記ヒノキチップルーム１６０については、学術名でヒノキは、コノテガシワ科の植物であって、フィトンチッドとの物質を提供する植物であり、精神健康医学界により多く知られている。
【００４４】
また、フィトンチッドとは、植物に含有された物質であって、微生物の繁殖や成長を抑制する全ての物質と定義され、植物の２次代謝産物の一種であると、既に学界に広く知られていることが分かる。
【００４５】
現在、ヒノキのフィトンチッドは、無毒性が立証され、精油を希釈し揮散させて吸入しても、人体に無害なものと知られている。
【００４６】
また、一般に、ヒノキの強い香りは、殺菌、脱臭、美白皮膚美容、血液循環、免疫力増大、抗酸化作用等に効能があるだけでなく、血液循環及び新陳代謝を促進し、森林浴のような効能を発し、疲労回復と健康長寿に神秘な効果があるものと、既に広く知られている。
【００４７】
これらの事実は、密閉した空間で頭をすっきりさせるために韓国の有名映画館で用いていることから、その効能が推測され、ストレス状況においてストレスホルモンであるコルチゾールの濃度を５０％まで低くすることが、実験を通じて証明されたものとも知られている。
【００４８】
特に、快適な感じと鎮静作用による睡眠時間の延長、熟眠誘発とコレステロール合成阻害作用を通じて、血圧調節、血液循環系改善、高脂血症、血栓心不全症に効果があると知られたことから、ヒノキチップルーム１６０は、子供たちが楽しく遊ぶ間、精神を清くし、不安感及び急な性格を安定にする効果を提供する。
【００４９】
一方、親子カフェは、幼児と保護者が共有する空間であって、一般に、アパートまたは隣近所に設けられる。
【００５０】
また、親子カフェは、子供または幼児を持つ保護者が、幼児を一人だけにしてはならない状況で、誰かと会う約束があるときに用いられ、または隣の幼児を持つ母親同士で、子供の養育等の情報を交換する出合いの場として用いられている。
【００５１】
次いで、本発明の実施例によるテーマ遊び施設と食・飲料提供施設を備えた親子カフェの利用状態について説明すると、先ず、本発明の実施例によるテーマ遊び施設と食・飲料提供施設を備えた親子カフェは、幼児と保護者が入る前に、ファンモータＭを動作させ、エアマトリクス４１とエアチューブウォール４２を膨張させるために空気圧を充填し、空気圧が充填されたエアマトリクス４１とエアチューブウォール４２は、移動連結通路３０４０の床面の高さが一致する。
【００５２】
これにより、階段通路ルームの第６番ルーム３６とエアバウンスルーム４０を往来する利用への準備が完了し、次いで、親子カフェに入った幼児は、親子カフェの遊びルームの職員（ヘルパー）の案内を受け、楽しい時間を過ごすこととなる。
【００５３】
また、幼児連れの保護者は、子供が楽しく遊ぶ姿をみながら、休息空間１８０に設けられた椅子１８２またはソファＳに座って休みを取り、隣と談笑をし、また、お茶等の食・飲料をカフェキッチン１７０に注文すると、カフェキッチン１７０では、注文されたお茶または食・飲料を調理して提供し、休息空間１８０に設けられたテーブル１８１、椅子に座って休息と共に、余裕時間を楽しむことができる。
【００５４】
一方、幼児がテーマ遊びを楽しむ順序については、先ず、幼児がどの施設で遊ぶかを選択することにより遊びが始まるが、例えば、幼児がスーパーマーケット遊びルーム１０を最初に選んで遊び始めると、先ず、スーパーマーケット遊びルーム１０の主出入口１０ａに入って、内部に予め準備された幼児遊び用のカートを押して回りながら、棚１０ｃに陳列されている各種の果物、野菜、魚コーナーで、自身の希望する商品を選んで入れ、遊び用ガスレンジ１１と流し台１２で調理するなどのままごとをし、このままごとを終え、または他の遊びをしようとする子供は、階段１０２０から上層の第１のテーマ遊びルーム２０に登って、その内部のおもちゃを持って楽しい時間を過ごすことができ、ある場合は、階段１０２０からスーパーマーケット遊びルーム１０に再び降りてきてもよい。
【００５５】
また、スーパーマーケット遊びルーム１０に再び降りてきた子供や好奇心の多い子供は、窓枠状のフレームのソファ連結通路１０ｂを乗り越え、ソファＳを踏んで読書室１４０を往来することになる。
【００５６】
一方、第１のテーマ遊びルーム２０で楽しい時間を過ごしている子供と保護者は、欄干２０ａまたは透明窓２０ｂからアイコンタクトしながら、幼児は、保護者の存在を確認し、安心して遊ぶと共に、保護者は、実時間で子供が楽しくて安全に遊ぶ姿をみながら、余裕で楽しくて安らかな休み時間を過ごすことができる。
【００５７】
また、前記第１のテーマ遊びルーム２０で遊んでいた子供は、移動連結通路２０３０から第２のテーマ遊びルーム３０を構成する第１番ルーム３１に入り、このように入った子供は、第１の通路階段３０ａ乃至第６の通路階段３０ｆを用いて第６番ルーム３６まで往来し、楽しい時間を過ごす間、透明窓３７から窓外の保護者を確認可能であるので、心理的な安心感を持って楽しい時間を過ごすとともに、保護者も幼児の遊ぶ姿を透明窓３７から観察しながら、休息空間１８０で安らかな休みを楽しむことができる。
【００５８】
一方、第１番ルーム３１乃至第６番ルーム３６には、動物、昆虫、植物、果物、野菜、自然を主題とする標本及び写真、画像、音響がテーマ別に設けられ、ある場合は、宇宙、科学、医学、文化等の内容がさらに含まれるテーマ遊びルームであって、幼児が多くの関心を持って楽しい時間を過ごすようになっている。
【００５９】
このため、幼児は、各種の多様なテーマ施設において楽しい時間を過ごす過程で、活発な頭脳活動と一緒に学習効果が得られ、保護者は、このように幼児が楽しい時間を過ごす過程で、特に関心を持つ遊びを通じて早期に子供の特技を発見する成果が得られる。
【００６０】
また、第１番ルーム３１から第６番ルーム３６までを全て用いた子供は、移動連結通路３０４０から出てエアバウンスルーム４０に入って、スカイジャンプをしながら遊び、さらに、壁体Ｄに設けられた岩登り構造物５０を用いて上下する岩登り遊びを行い、前記エアバウンスルーム４０と岩登り構造物５０を用いた幼児は、ボールプール６０に入って遊泳しながら楽しむことができる。
【００６１】
また、ボールプール６０を用いた幼児は、ボールプール６０から出てブロック遊びルーム７０に移動し、各種のブロック等の組立式おもちゃで遊び、ブロック遊びルーム７０の利用を終えた幼児は、ブロック遊びルーム７０から出て自動車トラック８０に移動した後、トラックに設けられた無動力の遊び用自動車２００に乗って楽しい時間を過ごすことができる。
【００６２】
また、出入口８０ａから自動車トラック８０に入った幼児は、職員またはヘルパーの助けを受け、出発位置８８ａにおいて無動力の遊び用自動車２００に乗った状態で、足で床を蹴って登り坂８１を自ら登り、登り頂上地点Ｕに到達した後は、Ｕターンして下り坂８２を下りる。
【００６３】
ところが、前記登り坂８１と下り坂８２において、図８及び図９に示すように、区間別に登り坂８１には、傾斜面登り傾斜区間８１ａと水平面状の登り休み区間８１ｂが頂上地点Ｕまで少なくとも２回以上繰り返され、下り坂８２には、傾斜面下り傾斜区間８２ａと水平面状の速度制御区間８２ｂが少なくとも２回以上繰り返されており、到着地点８８ｂの床面にはクッションマット８６が覆われ、垣根８５と直角をなすクッションマット８６の端部には、速度制御に失敗した場合、停止衝撃を吸収する衝撃吸収段８７が設けられているので、幼児の安全な自動車遊びを保障することができる。
【００６４】
また、多くの時間を楽しく過ごし、疲れたり、睡眠または授乳が必要であったりする幼児は、保護者が幼児を洗面台９１に連れて行き、手と顔を洗った後、母児室９０に連れて入り、授乳または睡眠を行うことができる。
【００６５】
また、前記網ネットルーム２５は、積層溝２７で連結された第１のテーマ遊びルーム２０を往来するとともに、 床面Ｂから空中の２層の遊び空間２６と少なくとも３つ以上のポケット空間２７を往来することができ、ブリッジ２８を用いて第１のテーマ遊びルーム２０を往来して遊ぶことができる。
【００６６】
前記ブリッジ２８は、吊り橋となり、スリルがあって興味深い経験をし、幼児の好奇心と胆力を養う好適な遊び器具として用いられる。
【００６７】
その他、幼児は、保護者と一緒に、投擲ゲームルーム１００、ＰＣゲームルーム１１０、子供専用劇場１２０でゲームを楽しみ、また、ヒノキチップルーム１６０及び小麦粉遊びルーム１６５を選択して楽しい時間を過ごすことができ、上述した本発明は、幼児期の子供と保護者が一緒に、楽しくて安全で安らかな休みを取ることができるものであって、これによると、時代変化の速度とともに加速化している都心地の深刻な空気汚染の中で、幼児と保護者が空気が浄化される室内において、安心して楽しくて安らかな遊びと休みを取るように提供されるものである。
【符号の説明】
【００６８】
Ａ    壁面
Ｂ    床面
Ｃ    衝撃吸収パッド
Ｄ    壁体
Ｌ    車線
Ｍ    モータ
Ｐ    フレーム
Ｓ    ソファ
Ｔ    仕上げシート
Ｕ    頂上地点
Ｗ     ベニヤ板
１０    スーパーマーケット遊びルーム
１０ａ    主出入口
１０ｂ、１４０ａ    ソファ連結通路
１０ｃ    陳列台
１１    ガスレンジ
１２    流し台
２０    第１のテーマ遊びルーム
２０ａ    欄干
２０ｂ、３７    透明窓
２５    網ネットルーム
２６    遊び空間
２７    ポケット空間
２８    ブリッジ
３０    第２のテーマ遊びルーム
３０ａ    第１の通路階段
３０ｂ    第２の通路階段
３０ｃ    第３の通路階段
３０ｄ    第４の通路階段
３０ｅ    第５の通路階段
３０ｆ    第６の通路階段
３１    第１番ルーム
３２    第２番ルーム
３３    第３番ルーム
３４    第４番ルーム
３５    第５番ルーム
３６    第６番ルーム
３８    踏み台
４０    エアバウンスルーム
４１    エアマトリクス
４２    エアチューブウォール
４３    クッションパネル
５０    岩登り遊び構造物
６０    ボールプール
６１、８０ａ    出入口
６２    フェンス
６３    フレーム
７０    ブロック遊びルーム
８０    自動車トラック
８１    登り坂
８１ａ    登り傾斜区間
８１ｂ    水平面の登り休み区間
８２    下り坂
８２ａ    下り傾斜区間
８２ｂ    速度制御区間
８３    中央遮断壁
８５    垣根
８６    クッションマット
８７    衝撃吸収段
９０    母児室
９１    洗面台
１００    投擲ゲームルーム
１１０    ＰＣゲームルーム
１２０    子供専用劇場
１３０    洞窟遊び器具
１４０    読書室
１５０    トイレット
１５５    簡易プール
１６０    ヒノキチップルーム
１６１    ヒノキチップ
１６５    小麦粉遊びルーム
１７０    カフェキッチン
１８０    休息空間
１８１    テーブル
１８２    椅子
２００    遊び用自動車
１０２０    階段
２０３０、３０４０    移動連結通路
【図１】
0006454670.tif 000002
【図２】
0006454670.tif 000003
【図３】
0006454670.tif 000004
【図４】
0006454670.tif 000005
【図５】
0006454670.tif 000006
【図６】
0006454670.tif 000007
【図７】
0006454670.tif 000008
【図８】
0006454670.tif 000009
【図９】
0006454670.tif 000010
【図１０】
0006454670.tif 000011
【図１１】
0006454670.tif 000012
【図１２】
0006454670.tif 000013
【図１３】
0006454670.tif 000014
【図１４】
0006454670.tif 000015
【図１５】
0006454670.tif 000016